(57)【要約】【課題】  電磁波の影響を低減した電子機器を提供する。【解決手段】  電子機器は、複数の回路部品を備えるプリント回路板と、前記プリント回路板上に設けられる導電性のシールドケースと、前記プリント回路板上で前記シールドケースの内側に設けられるチューナと、前記シールドケースの外側で前記プリント回路板に設けられる第１のグランド部と、前記シールドケースの内側で前記プリント回路板に設けられる第２のグランド部と、を備える。前記第１のグランド部は、前記シールドケースを介して前記第２のグランド部と電気的に接続される。【選択図】図５
2013016556.tif 000002
【特許請求の範囲】
【請求項１】
複数の回路部品を備えるプリント回路板と、
前記プリント回路板上に設けられる導電性のシールドケースと、
前記プリント回路板上で前記シールドケースの内側に設けられるチューナと、
前記シールドケースの外側で前記プリント回路板に設けられる第１のグランド部と、
前記シールドケースの内側で前記プリント回路板に設けられる第２のグランド部と、
を備え、                          
前記第１のグランド部は、前記シールドケースを介して前記第２のグランド部と電気的に接続される電子機器。
【請求項２】
前記第１のグランド部と前記第２のグランド部との間の位置で前記プリント回路板に設けられる複数のスロットを備える請求項１に記載の電子機器。
【請求項３】
前記プリント回路板上で前記シールドケースの内側に設けられる第２のチューナと、
前記シールドケースに設けられるとともに前記チューナと前記第２のチューナとの間を仕切る仕切部と、
を備える請求項２に記載の電子機器。
【請求項４】
前記第１のグランド部から突出する第１の突出部と、
前記第２のグランド部から突出する第２の突出部と、
前記シールドケースに設けられ前記第１の突出部に向けて突出して前記第１の突出部と電気的に接続される第１の突起と、
前記シールドケースに設けられ前記第２の突出部に向けて突出して前記第２の突出部と電気的に接続される第２の突起と、
を備える請求項３に記載の電子機器。
【請求項５】
複数の回路部品を備える基板本体と、
前記基板本体上に設けられる導電性のシールドケースと、
前記基板本体上で前記シールドケースの内側に設けられるチューナと、
前記シールドケースの外側で前記基板本体に設けられる第１のグランド部と、
前記シールドケースの内側で前記基板本体に設けられる第２のグランド部と、
を備え、
前記第１のグランド部は、前記シールドケースを介して前記第２のグランド部と電気的に接続されるプリント回路板。
【発明の詳細な説明】
【技術分野】
【０００１】
本発明の実施形態は、チューナを有した電子機器およびプリント回路板に関する。
【背景技術】
【０００２】
チューナ等の高周波部品およびシールドケースを備えた電子機器が存在している（特許文献１参照）。
【先行技術文献】
【特許文献】
【０００３】
【特許文献１】特開平１０−７９５９０号公報
【発明の概要】
【発明が解決しようとする課題】
【０００４】
一方、チューナ等の高周波部品は、外界からの電磁波による影響を受け易く、外界から照射される電磁波の高周波部品への影響の低減や、逆に高周波部品から外界に照射される電磁波の低減に関する改良へのニーズが存在していた。
【０００５】
本発明は、電磁波の影響を低減した電子機器を提供することを目的とする。
【課題を解決するための手段】
【０００６】
実施形態の電子機器は、複数の回路部品を備えるプリント回路板と、前記プリント回路板上に設けられる導電性のシールドケースと、前記プリント回路板上で前記シールドケースの内側に設けられるチューナと、前記シールドケースの外側で前記プリント回路板に設けられる第１のグランド部と、前記シールドケースの内側で前記プリント回路板に設けられる第２のグランド部と、を備え、前記第１のグランド部は、前記シールドケースを介して前記第２のグランド部と電気的に接続される。
【図面の簡単な説明】
【０００７】
【図１】第１の実施形態にかかる電子機器の一例であるテレビを示した斜視図。
【図２】図１に示すテレビのメイン基板（プリント回路板）を表面方向から示した斜視図。
【図３】図２に示すメイン基板（プリント回路板）を裏面方向から示した下面図。
【図４】図２に示すメイン基板（プリント回路板）をシールドケースの天板部を取り外した状態を示した斜視図。
【図５】図２に示すメイン基板を分解して示した斜視図。
【図６】図２に示すメイン基板上のシールドケースを水平方向に切断して示した断面図。
【図７】第２の実施形態にかかる電子機器の一例であるテレビのメイン基板（プリント回路板）を分解して示した斜視図。
【図８】第３の実施形態にかかる電子機器の一例であるテレビのメイン基板（プリント回路板）をシールドケースの天板部を取り外した状態で示した上面図。
【発明を実施するための形態】
【０００８】
以下、図１から図６を参照して、電子機器の一例であるテレビの第１の実施形態について説明する。図１に示すように、本実施形態にかかるテレビ１１は、長方形の外観を有した薄型の表示装置である。図１に示すように、テレビ１１は、表示部１２（ディスプレイ部）と、表示部１２を支持する支持部の一例であるスタンド１３と、を備えている。
【０００９】
表示部１２は、表示パネル１４と、表示パネル１４の背面に設けられたメイン基板１５（プリント回路板）および電源基板１６と、表示パネル１４、メイン基板１５、電源基板１６の周囲を覆ったケース１７と、を備えている。
【００１０】
表示パネル１４は、本実施形態では、例えば、方形板状の液晶パネルで構成されている。表示パネル１４は、例えばプラズマディスプレイパネル、有機ＥＬパネル等の他の種類のディスプレイパネルでもよい。
【００１１】
図２から図５に示すように、メイン基板１５（プリント回路板）は、方形板状の基板本体２１と、基板本体２１上に実装された複数の回路部品２２（ＣＰＵ、ＲＯＭ、ＲＡＭなど）と、基板本体２１上に実装された第１のチューナ２３および第２のチューナ２４と、第１のチューナ２３および第２のチューナ２４の周囲を取り囲むように基板本体２１上に設けられるシールドケース１８と、シールドケース１８の上部から突出するように設けられた一対の接続用の端子２５と、シールドケース１８の外側に設けられた第１のグランド部２６と、シールドケース１８の内側に設けられた第２のグランド部２７と、第１のグランド部２６から第２のグランド部２７に向けて突出する第１の突出部３１と、第２のグランド部２７から第１のグランド部２６に向けて突出する第２の突出部３２と、基板本体２１に設けられた細長い穴状の複数のスロット３３と、を備えている。このように、本実施形態では、メイン基板１５（プリント回路板）上に第１のチューナ２３および第２のチューナ２４が実装されており、チューナ用のプリント回路板を別途に必要としない。
【００１２】
図４に示すように、第１のチューナ２３（チューナ）は、いわゆる高周波部品であって、例えば衛星放送の受信回路（第１の受信回路３４）の一部を構成している。同様に、第２のチューナ２４（チューナ）は、いわゆる高周波部品であって、例えば地上波のアナログ・デジタル放送の受信回路（第２の受信回路３５）の一部を構成している。第１のチューナ２３および第２のチューナ２４は、シールドケース１８の内側に設けられている。
【００１３】
図５に示すように、複数のスロット３３は、第２のグランド部２７の周囲を取り囲むように、ある一定の間隔で配置されている。言い換えると、複数のスロット３３は、第１のグランド部２６と第２のグランド部２７との間に配置されており、シールドケース１８の内側の領域をメイン基板１５の他の領域から区画している。スロット３３の内周面は、絶縁性の材料で被覆されている。複数のスロット３３は、メイン基板１５の他の領域からシールドケース１８の内側の領域を物理的に分離することで、シールドケース１８の内側と外側の領域で電磁波が相互に行き来してしまうことを防止する。
【００１４】
第１のグランド部２６は、導体の層（銅の薄膜）によって基板本体２１上に平面状に形成されている。第１の突出部３１は、基板本体２１上に設けられており、シールドケース１８と電気的に接続されている。第２のグランド部２７は、導体の層（銅の薄膜）によって基板本体２１上に平面状に形成されている。図６に示すように、第２のグランド部２７は、第１のチューナ２３（第１の受信回路３４）に対応した第１の部分２７Ａと、第２のチューナ２４（第２の受信回路３５）に対応した第２の部分２７Ｂと、を含んでいる。第１の部分２７Ａは、第２の部分２７Ｂとは分離している。第２の突出部３２は、基板本体２１上に設けられており、シールドケース１８と電気的に接続されている。
【００１５】
シールドケース１８は、導電性の材料、例えば、板金（めっき鋼板）を箱状に折り曲げて形成されている。シールドケース１８は、枠状になった側部４１と、側部４１に対して取り外し可能な天板部４２と、側部４１の内側を２つの領域に仕切る仕切部４３と、側部４１に設けられた第１の突起４４および第２の突起４５と、を有している。
【００１６】
図４、図５に示すように、仕切部４３は、導電性の材料、例えば、一枚の板金（めっき鋼板）中央部で折り曲げて形成されており、２枚の片によって２重になったシールドを構成する。仕切部４３は、第１の片４３Ａと、これと分離した第２の片４３Ｂと、第１の片４３Ａと第２の片４３Ｂとを連結している連結片４３Ｃと、を有している。第１の片４３Ａは、これから突出したピンによって第２のグランド部２７の第１の部分２７Ａと電気的に接続されている。同様に、第２の片４３Ｂは、これから突出したピンによって第２のグランド部２７の第２の部分２７Ｂと電気的に接続されている。仕切部４３は、衛星放送の受信回路（第１の受信回路３４）と地上波のアナログ・デジタル放送の受信回路（第２の受信回路３５）との間を仕切っており、これらが互いの電磁波で干渉しあうことを防止する。
【００１７】
図５に示すように、第１の突起４４は、第１の突出部３１に向けて突出し、第１の突出部３１に設けられた第１のスルーホール３１Ａの内側に通されており、半田を介して第１の突出部３１と電気的に接続される。これによって、シールドケース１８は、第１のグランド部２６と電気的に接続されている。また、第２の突起４５は、第２の突出部３２に向けて突出し、第２の突出部３２に設けられた第２のスルーホール３２Ａの内側に通されており、半田を介して第２の突出部３２と電気的に接続される。このため、シールドケース１８は、第２のグランド部２７と電気的に接続されている。したがって、本実施形態では、第１のグランド部２６は、シールドケース１８を介して第２のグランド部２７と電気的に接続されている。
【００１８】
第１の実施形態によれば、テレビ１１は、複数の回路部品２２を備えるプリント回路板と、プリント回路板上に設けられる導電性のシールドケース１８と、プリント回路板上でシールドケース１８の内側に設けられるチューナと、シールドケース１８の外側でプリント回路板に設けられる第１のグランド部２６と、シールドケース１８の内側でプリント回路板に設けられる第２のグランド部２７と、を備え、第１のグランド部２６は、シールドケース１８を介して第２のグランド部２７と電気的に接続される。
【００１９】
この構成によれば、シールドケース１８によってチューナを覆うことができるため、外部からの電磁波のノイズがチューナに影響したり、逆にチューナからの電磁波が外部に漏出したりすることを防止できる。同様に、第１のグランド部２６と第２のグランド部２７との間で電位を同じにできるため、例えば、第１のグランド部２６側から第２のグランド部２７側に向けて電磁波が照射されたり、逆に第２のグランド部２７側から第１のグランド部２６側に向けて電磁波が照射されたりすることを防止できる。また、上記構成では、シールドケース１８を介して迂回するように第１のグランド部２６と第２のグランド部２７とが電気的に接続されている。このため、プリント回路板に第１のグランド部２６と第２のグランド部２７とを連続的に形成した場合に比して、例えば第１のグランド部２６側から発振された電磁波がそのまま第２のグランド部２７側に到達したり、第２のグランド部２７側から発振された電磁波がそのまま第１のグランド部２６側に到達したりすることが防止される。これらによって、電磁波による悪影響を極力防止して、電子機器の高性能化を実現できる。
【００２０】
また、テレビ１１は、第１のグランド部２６と第２のグランド部２７との間の位置でプリント回路板に設けられる複数のスロット３３を備える。この構成によれば、シールドケース１８の内側とシールドケース１８の外側との間を物理的に分離させることができ、シールドケース１８の内側と外側との間の電磁波による相互干渉を防止できる。
【００２１】
テレビ１１は、プリント回路板上でシールドケース１８の内側に設けられる第２のチューナ２４と、シールドケース１８に設けられるとともにチューナと第２のチューナ２４との間を仕切る仕切部４３と、を備える。この構成によれば、チューナおよび第２のチューナ２４の間で、電磁波による相互干渉を生ずることを防止して、電子機器の高性能化を実現できる。
【００２２】
テレビ１１は、第１のグランド部２６から突出する第１の突出部３１と、第２のグランド部２７から突出する第２の突出部３２と、シールドケース１８に設けられ第１の突出部３１に向けて突出して第１の突出部３１と電気的に接続される第１の突起４４と、シールドケース１８に設けられ第２の突出部３２に向けて突出して第２の突出部３２と電気的に接続される第２の突起４５と、を備える。
【００２３】
この構成によれば、簡単な構造によって、第１のグランド部２６と第２のグランド部２７とをシールドケース１８で迂回するように接続する構成を実現できる。
【００２４】
続いて図７を参照して、電子機器の第２の実施形態について説明する。第２の実施形態の電子機器の一例であるテレビ１１は、シールドケース１８に仕切部４３がない点、チューナの数が異なる点で第１の実施形態のものと異なっているが、他の部分は第１の実施形態と共通している。このため、主として異なる部分について説明し、共通する部分については共通の符号を付して説明或いは図示を省略する。第２の実施形態のテレビ１１は、図１に示すものと同様の外観を有する。
【００２５】
第２の実施形態では、メイン基板１５（プリント回路板）上に第１のチューナ２３（チューナ）が１個のみ実装されている。第１のチューナ２３は、例えば衛星放送の受信回路（第１の受信回路３４）の一部を構成している。
【００２６】
シールドケース１８は、導電性の材料、例えば、板金（めっき鋼板）を箱状に折り曲げて形成されている。シールドケース１８は、枠状になった側部４１と、側部４１に対して取り外し可能な天板部４２と、側部４１に設けられた第１の突起４４および第２の突起４５と、を有している。
【００２７】
本実施形態によれば、チューナが１つのみである場合であっても、シールドケース１８の内部と外部との間において、電磁波の相互干渉を生ずることを有効に防止することができる。
【００２８】
続いて図８を参照して、電子機器の第３の実施形態について説明する。第３の実施形態の電子機器の一例であるテレビ１１は、チューナの数が異なる点で第１の実施形態のものと異なっているが、他の部分は第１の実施形態と共通している。このため、主として異なる部分について説明し、共通する部分については共通の符号を付して説明或いは図示を省略する。第３の実施形態のテレビ１１は、図１に示すものと同様の外観を有する。
【００２９】
メイン基板１５（プリント回路板）は、方形板状の基板本体２１と、基板本体２１上に実装された複数の第１のチューナ２３および複数の第２のチューナ２４と、複数の第１のチューナ２３および複数の第２のチューナ２４の周囲を取り囲むように基板本体２１上に設けられるシールドケース１８と、シールドケース１８の上部から突出するように設けられた一対の接続用の端子２５と、シールドケース１８の外側に設けられた第１のグランド部２６と、シールドケース１８の内側で第２のグランド部２７と、第１のグランド部２６から第２のグランド部２７に向けて突出する第１の突出部３１と、第２のグランド部２７から第１のグランド部２６に向けて突出する第２の突出部３２と、基板本体２１に設けられた細長い穴状の複数のスロット３３と、を備えている。
【００３０】
シールドケース１８は、枠状になった側部４１と、側部４１に対して取り外し可能な天板部４２と、側部４１（シールドケース１８）の内側を４つの領域に仕切る仕切部４３と、側部４１に設けられた第１の突起４４および第２の突起４５と、を有している。
【００３１】
第１のチューナ２３は、例えば衛星放送の受信回路（第１の受信回路３４）の一部を構成している。本実施形態では、第１のチューナ２３の数は、２個であるがこれに限定されるものではなく、第１のチューナ２３を３個以上にしてもよい。また、第２のチューナ２４は、例えば地上波のアナログ・デジタル放送の受信回路（第２の受信回路３５）の一部を構成している。本実施形態では、第２のチューナ２４の数は、２個であるがこれに限定されるものではなく、第２のチューナ２４を３個以上にしてもよい。
【００３２】
本実施形態によれば、チューナの数が複数個であっても、チューナ同士、或いはシールドケース１８の内部と外部との間で、電磁波の相互干渉を生ずることを防止できる。
【００３３】
電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００３４】
１１…テレビ、１５…メイン基板、２１…基板本体、２２…回路部品、２３…第１のチューナ、２４…第２のチューナ、２６…第１のグランド部、２７…第２のグランド部、３１…第１の突出部、３２…第２の突出部、３３…スロット、４３…仕切部、４４…第１の突起、４５…第２の突起。
【図１】
2013016556.tif 000003
【図２】
2013016556.tif 000004
【図３】
2013016556.tif 000005
【図４】
2013016556.tif 000006
【図５】
2013016556.tif 000007
【図６】
2013016556.tif 000008
【図７】
2013016556.tif 000009
【図８】
2013016556.tif 000010
【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
複数の回路部品を備えるプリント回路板と、
前記プリント回路板上に設けられる導電性のシールドケースと、
前記プリント回路板上で前記シールドケースの内側に設けられるチューナと、
前記シールドケースの外側で前記プリント回路板に設けられる第１のグランド部と、
前記シールドケースの内側で前記プリント回路板に設けられる第２のグランド部と、
前記第１のグランド部から突出する第１の突出部と、
前記第２のグランド部から突出する第２の突出部と、
前記シールドケースに設けられ前記第１の突出部に向けて突出して前記第１の突出部と電気的に接続される第１の突起と、
前記シールドケースに設けられ前記第２の突出部に向けて突出して前記第２の突出部と電気的に接続される第２の突起と、
を備え、      
前記第１のグランド部は、前記シールドケースを介して前記第２のグランド部と電気的に接続される電子機器。
【請求項２】
前記第１のグランド部と前記第２のグランド部との間の位置で前記プリント回路板に設けられる複数のスロットを備える請求項１に記載の電子機器。
【請求項３】
前記プリント回路板上で前記シールドケースの内側に設けられる第２のチューナと、
前記シールドケースに設けられるとともに前記チューナと前記第２のチューナとの間を仕切る仕切部と、
を備える請求項２に記載の電子機器。
【請求項４】
複数の回路部品を備える基板本体と、
前記基板本体上に設けられる導電性のシールドケースと、
前記基板本体上で前記シールドケースの内側に設けられるチューナと、
前記シールドケースの外側で前記基板本体に設けられる第１のグランド部と、
前記シールドケースの内側で前記基板本体に設けられる第２のグランド部と、
前記第１のグランド部から突出する第１の突出部と、
前記第２のグランド部から突出する第２の突出部と、
前記シールドケースに設けられ前記第１の突出部に向けて突出して前記第１の突出部と電気的に接続される第１の突起と、
前記シールドケースに設けられ前記第２の突出部に向けて突出して前記第２の突出部と電気的に接続される第２の突起と、
を備え、
前記第１のグランド部は、前記シールドケースを介して前記第２のグランド部と電気的に接続されるプリント回路板。
【請求項５】
回路板上に設けられる導電性のシールドケースと、
前記回路板上で前記シールドケースの内側に設けられる部品と、
前記シールドケースの外側で前記回路板に設けられる第１のグランド部と、
前記シールドケースの内側で前記回路板に設けられる第２のグランド部と、
前記シールドケースに突出して設けられ前記第１のグランド部と電気的に接続される第１の突起と、
前記シールドケースに突出して設けられ前記第２のグランド部と電気的に接続される第２の突起と、
を備え、
前記第１のグランド部は、前記シールドケースを介して前記第２のグランド部と電気的に接続される電子機器。
【請求項６】
前記第１のグランド部から突出する第１の突出部と、
前記第２のグランド部から突出する第２の突出部と、
を備え、
前記第１の突起は、前記第１の突出部に向けて突出して前記第１の突出部と電気的に接続され、
前記第２の突起は、前記第２の突出部に向けて突出して前記第２の突出部と電気的に接続される請求項５に記載の電子機器。
【手続補正２】
【補正対象書類名】明細書
【補正対象項目名】００３３
【補正方法】変更
【補正の内容】
【００３３】
電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、本願出願の当初の特許請求の範囲に記載された発明を付記する。
［１］
複数の回路部品を備えるプリント回路板と、
前記プリント回路板上に設けられる導電性のシールドケースと、
前記プリント回路板上で前記シールドケースの内側に設けられるチューナと、
前記シールドケースの外側で前記プリント回路板に設けられる第１のグランド部と、
前記シールドケースの内側で前記プリント回路板に設けられる第２のグランド部と、
を備え、 
前記第１のグランド部は、前記シールドケースを介して前記第２のグランド部と電気的に接続される電子機器。
［２］
前記第１のグランド部と前記第２のグランド部との間の位置で前記プリント回路板に設けられる複数のスロットを備える［１］に記載の電子機器。
［３］
前記プリント回路板上で前記シールドケースの内側に設けられる第２のチューナと、
前記シールドケースに設けられるとともに前記チューナと前記第２のチューナとの間を仕切る仕切部と、
を備える［２］に記載の電子機器。
［４］
前記第１のグランド部から突出する第１の突出部と、
前記第２のグランド部から突出する第２の突出部と、
前記シールドケースに設けられ前記第１の突出部に向けて突出して前記第１の突出部と電気的に接続される第１の突起と、
前記シールドケースに設けられ前記第２の突出部に向けて突出して前記第２の突出部と電気的に接続される第２の突起と、
を備える［３］に記載の電子機器。
［５］
複数の回路部品を備える基板本体と、
前記基板本体上に設けられる導電性のシールドケースと、
前記基板本体上で前記シールドケースの内側に設けられるチューナと、
前記シールドケースの外側で前記基板本体に設けられる第１のグランド部と、
前記シールドケースの内側で前記基板本体に設けられる第２のグランド部と、
を備え、
前記第１のグランド部は、前記シールドケースを介して前記第２のグランド部と電気的に接続されるプリント回路板。